(57)【要約】【課題】二重構造の外壁に違和感なくかつ容易に開放可能な非常用進入口を設ける。【解決手段】外壁本体２に設けた開口部を開閉する扉５の外側に外装仕上げ材３を取り付け、その扉を開くことで扉に取り付けた外装仕上げ材を扉とともに開いて開口部を開放する構造とする。扉はその上部が横軸７により回転自在に支持されて外側に開放される横軸回転扉とする。外装仕上げ材として可撓性ないし柔軟性を有して変形可能なメッシュを採用し、扉の下端部には前方への突出部８を設け、扉を覆う外装仕上げ材の下端部をその突出部の先端部に連結し、扉の開放操作に追従して扉を覆う外装仕上げ材を上方にめくり上げて退避させる。扉を電動および手動により開放する操作を外壁側および室内側から行うための操作機構を備える。【選択図】      図１
2004183313.tif 000002
【特許請求の範囲】
【請求項１】
外壁本体の外側にそれを全面的に覆う外装仕上げ材を間隔をおいて設けた二重構造の外壁に消防設備としての非常用進入口を設けるための構造であって、外壁本体に設けた開口部を開閉する扉の外側に外装仕上げ材を取り付け、その扉を開くことで扉に取り付けた外装仕上げ材が扉とともに開かれて開口部が開放されることを特徴とする二重構造外壁の非常用進入口の構造。
【請求項２】
扉はその上部が横軸により回転自在に支持されて外側に開放される横軸回転扉であることを特徴とする請求項１記載の二重構造外壁の非常用進入口の構造。
【請求項３】
外装仕上げ材として可撓性ないし柔軟性を有して変形可能なメッシュが採用され、扉の下端部には前方への突出部が設けられ、扉を覆う外装仕上げ材の下端部がその突出部の先端部に連結され、扉の開放操作に追従して扉を覆う外装仕上げ材が上方へめくり上げられて退避することを特徴とする請求項２記載の二重構造外壁の非常用進入口の構造。
【請求項４】
扉を電動および手動により開放する操作を外壁側および室内側から行うための操作機構を備えたことを特徴とする請求項１，２または３記載の二重構造外壁の非常用進入口の構造。
【発明の詳細な説明】
【０００１】
【発明の属する技術分野】
本発明は、建物の外壁に設ける消防設備としての非常用進入口に係わり、特に二重構造の外壁に適用して好適な非常用進入口の構造に関する。
【０００２】
【従来の技術】
周知のように、建物の３階以上の階の外壁には火災時に消防隊が消火活動に使用するための非常用進入口を設けることが義務付けられている。外壁の構造や意匠がシンプルな通常の建物の場合には、非常用進入口は通常の窓と同様の形態で何等支障なく設けることができるが、たとえば店舗ビル等のように装飾性の高い特殊な意匠の外壁を採用した建物の場合には、非常用進入口を意匠的に違和感なく設けることは必ずしも容易ではない。そのため、従来より外壁の構造や意匠に対応した非常用進入口の構造や形態が模索され、たとえば特開２０００−３８８７７号公報にはガラスブロックによる外壁に適用する非常用進入口が開示されている。
【０００３】
【特許文献１】
特開２０００−３８８７７号公報
【０００４】
【発明が解決しようとする課題】
近年、装飾性の高い外壁の構造として、本来の外壁の外側に各種の外装仕上げ材を間隔をおいてさらに設けるといういわば二重構造の外壁も多く見られるようになってきているが、このような二重構造の外壁に非常用進入口を意匠的に違和感な設けるための有効適切な構造は未だ提供されていない。すなわち、非常用進入口を設けた外壁の外側にさらに外装仕上げ材を設ける場合には、その外装仕上げ材が非常用進入口を塞いでしまってはならないから、非常用進入口の外側の位置では外装仕上げ材を省略せざるを得ないし、あるいは敢えて設ける場合にはそれを容易に取り外し可能あるいは開放可能にしておく必要がある。しかし、前者は意匠的に許されないことが通常であるし、後者は非常用進入口を二重に設けることになるのでその構造が複雑になるばかりでなく開放操作も面倒になるので好ましいことではない。
【０００５】
上記事情に鑑み、本発明は二重構造の外壁に非常用進入口を設けるための有効適切な構造を提供すること目的とする。
【０００６】
【課題を解決するための手段】
請求項１の発明は、外壁本体の外側にそれを全面的に覆う外装仕上げ材を間隔をおいて設けた二重構造の外壁に消防設備としての非常用進入口を設けるための構造であって、外壁本体に設けた開口部を開閉する扉の外側に外装仕上げ材を取り付け、その扉を開くことで扉に取り付けた外装仕上げ材が扉とともに開かれて開口部が開放されることを特徴とする。
【０００７】
請求項２の発明は、請求項１の発明において、扉はその上部が横軸により回転自在に支持されて外側に開放される横軸回転扉であることを特徴とする。
【０００８】
請求項３の発明は、請求項２の発明において、外装仕上げ材として可撓性ないし柔軟性を有して変形可能なメッシュが採用され、扉の下端部には前方への突出部が設けられ、扉を覆う外装仕上げ材の下端部がその突出部の先端部に連結され、扉の開放操作に追従して扉を覆う外装仕上げ材が上方へめくり上げられて退避することを特徴とする。
【０００９】
請求項４の発明は、請求項１〜３のいずれかの発明において、扉を電動および手動により開放する操作を外壁側および室内側から行うための操作機構を備えたことを特徴とする。
【００１０】
【発明の実施の形態】
本発明の構造による非常用進入口の実施形態を図１〜図４に示す。この非常用進入口を設ける対象の建物はたとえば店舗ビルであって、その外壁１は、本来の外壁としての機能を備えた外壁本体２と、その外壁本体２を全面的に覆う外装仕上げ材３とによる二重構造のものとされている。
【００１１】
本例における外壁本体２はステンレス等の金属材料からなるパネルにより構成され、外装仕上げ材３の素材としては同じくステンレス等の金属材料からなる線材を格子状に組み上げたメッシュ（メタルファブリックとも称される）が採用されている。その外装仕上げ材３は高度の装飾性を備えた意匠的に優れる特殊な外装材であって、その素材がメッシュであることからある程度の可撓性ないし柔軟性を有して変形可能（後述するように、扉５の開放操作に追従して少なくとも上方にめくり上げることのできる程度の変形が可能なもの）なものであり、外壁本体２の前面側にたとえば６０ｃｍ程度の間隔をおいて所定の張力を持たせて張られた状態で設けられている。
【００１２】
本実施形態では、上記のような二重構造の外壁１に設ける非常用進入口４の構造として、外壁本体２に設けた開口部を開閉する扉５の外側に外装仕上げ材３を連結するという構成を採用し、扉５を開くことでその前面側を覆っている外装仕上げ材３が自ずとそこから退避して非常用進入口４が容易にかつ速やかに開放されるものとなっている。
【００１３】
扉５は鋼材等からなるフレーム６に外壁本体２と同一のパネルが取り付けられたもので、フレーム６の上部に設けられた横軸７を支点として下部側が外側に開放される構造の横軸回転扉である。そして、フレーム６の下端部には前方への突出部８が設けられて、その突出部８の先端部に、この扉５を覆うように設けられている外装仕上げ材３の下端部が連結されている。扉５を覆う外装仕上げ材３の両側は周囲の外装仕上げ材３とは縁切りされており、したがって扉５が閉じられている通常時には外装仕上げ材３が扉５を覆ってそれを隠蔽しているが、図１および図２に鎖線で示すように扉５を開いた際には、その扉５に連結されている外装仕上げ材３は扉５の開放に伴って自ずとめくり上げられて上方へ退避し、これにより非常用進入口４をワンアクションで速やかに開放することが可能となっている。
【００１４】
また、本実施形態の非常用進入口４にはそれを開放するための操作機構１０が備えられている。本実施形態における操作機構１０は、図３〜図４に示すように、フレーム６の上部に設けた横軸７を柱（あるいは間柱）１１の間にブラケット１２を介して軸受１３により回転自在に支持し、その横軸７の一端側に電動モータ１４を減速機構を含む動力伝達機構１５を介して連結した構成とされ、外壁側および室内側にそれぞれ設けられたスイッチ１６のいずれか一方を操作することで電動モータ１４が駆動されて扉５が自動的に開かれるように構成されている。また、この操作機構１０には手動操作によっても扉５を開放し得るように電動モータ１４と並列に手動ギア機構１７が設けられ、スイッチ１６に隣接する位置に収納されている手動ハンドル１８を引き出して手動動作により回転させることで、手動ギア機構１７がワイヤ機構１９を介して駆動されて扉５を開放できるようになっている。さらに、通常時に扉５が不用意に開放されてしまうことを防止するために、フレーム６の下端部はマグネット式のロック機構２０により柱１１に対して係止されるようになっているが、上記のスイッチ１６または手動ハンドル１８が操作されると同時にロック機構２０が作動して扉５の開放が可能となるようにされている。
【００１５】
なお、図における符号２１はフレーム６の上部に設けられたカウンターウエイト、２２は操作機構１０の制御盤、２３はロック機構２０のサブ制御盤である。また、符号２４は建物内のスラブ、２５は扉５の内側に必要に応じて設けられる内装仕上げ材、２６はその内装仕上げ材２５に設けられる内扉であり、この内扉２６は室内側へ容易に開放できるようにしておく必要がある。
【００１６】
上記構造の非常用進入口４は、通常時には外装仕上げ材３により覆われているので意匠的になんら違和感がなく、しかも扉５を開放すると同時に外装仕上げ材３が自ずと退避するから、非常時には何等支障なく容易にかつ確実に開放することができ、非常用進入口に要求される機能を充分に満足し得るものである。特に、扉５として横軸回転扉を採用したのでその扉５を上方に跳ね上げるようにして容易に開放できるし、その扉５の下端部に設けた突出部８に外装仕上げ材３としてのメッシュの下端部を連結したので、外装仕上げ材３を張力を持たせて張っている場合にも扉５の開放操作のみでそれを支障なくめくり上げて退避させることができ、扉５を閉じることのみで元の状態に復帰させることができる。さらに、外壁側と室内側の双方から電動と手動の双方で扉５を開放可能な操作機構１０を備えたので、迅速かつ確実な開放操作が可能であり、様々な状況下での消防活動に有効に供することができる。
【００１７】
なお、上記実施形態はあくまで一例であって、本発明は上記実施形態に限定されることなく適宜の設計的変更が可能であることは当然である。たとえば上記実施形態では外壁本体２は金属製のパネルからなるものとしたが、外壁本体２の構造や素材は任意である。また、上記実施形態では外装仕上げ材３の素材として特殊なメッシュを採用したが、扉５に対して連結して扉５とともに開放し得るものであれば他の構造や形態、素材の外装仕上げ材も採用可能であり、たとえばルーバ状の外装仕上げ材も好適に採用可能である。また、上記実施形態では外装仕上げ材３としてメッシュを採用したことから、その下端部のみを扉５の下部に対して連結したのであるが、外装仕上げ材の構造や形態によっては、扉５に対する外装仕上げ材の連結の形態は、扉５の開放と同時に外装仕上げ材を支障なく退避させることができるように構成する限りにおいて適宜設定すれば良い。勿論、扉５の形状や寸法、それを開放するための操作機構１０をはじめとして各部の具体的構成は、諸規定を満たす範囲内で自由に変更可能であることは言うまでもない。
【００１８】
【発明の効果】
請求項１の発明は、外壁本体に設けた開口部を開閉する扉の外側に外装仕上げ材を取り付け、その扉を開くことで扉に取り付けた外装仕上げ材が扉とともに開かれて開口部が開放されるようにしたので、通常時には外装仕上げ材により覆われているので意匠的になんら違和感がなく、しかも扉を開放すると同時に外装仕上げ材が自ずと退避するから何等支障なく容易にかつ確実に開放することができ、非常用進入口に要求される機能を何等損なうことはない。
【００１９】
請求項２の発明は、扉はその上部が横軸により回転自在に支持されて外側に開放される横軸回転扉であるので、扉を上方に跳ね上げるようにして容易に開放することができる。
【００２０】
請求項３の発明は、外装仕上げ材として可撓性ないし柔軟性を有して変形可能なメッシュが採用され、扉の下端部には前方への突出部が設けられ、扉を覆う外装仕上げ材の下端部がその突出部の先端部に連結され、扉の開放操作に追従して扉を覆う外装仕上げ材が上方へめくり上げられて退避するようにしたので、外装仕上げ材を張力を持たせて張っている場合にも扉の開放操作のみで外装仕上げ材を支障なくめくり上げて退避させることができ、扉を閉じることのみで自ずと元の状態に復帰させることができる。
【００２１】
請求項４の発明は、扉を電動および手動により開放する操作を外壁側および室内側から行うための操作機構を備えたので、迅速かつ確実な開放操作が可能であり、様々な状況下での消防活動に有効に供することができる
【図面の簡単な説明】
【図１】本発明の実施形態の構造による非常用進入口を示す左側面図である。
【図２】同、右側面図である。
【図３】同、平面図である。
【図４】同、正面図である。
【符号の説明】
１  外壁（二重構造外壁）
２  外壁本体
３  外装仕上げ材
４  非常用進入口
５  扉
６  フレーム
７  横軸
８  突出部
１０  操作機構
１１  柱
１２  ブラケット
１３  軸受
１４  電動モータ
１５  動力伝達機構
１６  スイッチ
１７  手動ギア機構
１８  手動ハンドル
１９  ワイヤ機構
２０  ロック機構
２１  カウンタウエイト
２２  制御盤
２３  サブ制御盤
２４  スラブ
２５  内装仕上げ材
２６  内扉
【図１】
2004183313.tif 000003
【図２】
2004183313.tif 000004
【図３】
2004183313.tif 000005
【図４】
2004183313.tif 000006